(57)【要約】      （修正有）【課題】織物テープでは不可能な水平変化を可能として衣類の襟等の如き平坦な部分でもカーブに沿って希望の形態に変形させ、保持させる事ができる細幅編テープを提供する。【解決手段】所要のテープ幅にわたり、長さ方向に並列して延びる複数の経編目列２と、各経編目列２より隣接する経編目列又は１〜複数コース離れた経編目列との間で横振りし、両経編目列を連結する連結糸３によってテープ本体１編地を形成し、該テープ本体１編地の各経編目列の間又は適宜間隔離れた経編目列との間毎に耐水性，復元性を有する可撓性ポリオレフィン系線条体４を長さ方向に沿って挿入し、前記横振りする連結糸３によって抑止した細幅編テープにある。【選択図】図１
0003115166.tif 000002
【実用新案登録請求の範囲】
【請求項１】
所要のテープ幅にわたり、長さ方向に並列して延びる複数の経編目列と、各経編目列より隣接する経編目列又は１〜複数コース離れた経編目列との間で横振りし、両経編目列を連結する連結糸によってテープ本体編地が形成され、かつ該テープ本体編地の各経編目列の間又は適宜間隔離れた経編目列の間毎に耐水性，復元性を有する可撓性ポリオレフィン系線条体が長さ方向に沿って挿入され、前記横振りする連結糸によって抑止されていることを特徴とする細幅編テープ。
【請求項２】
テープ本体編地の編成糸が天然繊維，再生繊維素繊維又は合成繊維から選ばれた1種以上の糸である請求項１記載の細幅編テープ
【請求項３】
挿入されたポリオレフィン系線条体がポリエチレンを主成分とする線条体である請求項１または２記載の細幅編テープ。
【請求項４】
細幅編テープがラッセル機，コメット機，トリコット機又はミラニーズ機等の経編機を用いて編成されてなる請求項１，２又は３記載の細幅編テープ。
【考案の詳細な説明】
【技術分野】
【０００１】
本考案は編テープ、詳しくは不定方向、特に水平方向を含み折り曲げが可能であり、かつ折り曲げた状態のままでその状態を保持することができる細幅編テープに関するものである。
【背景技術】
【０００２】
従来、細幅のテープ，リボン等は一般に細幅織機で織成されていたが、これらの細幅テープ，リボンは夫々の用途に使用されるとき、自在に結びまた折り曲げ変形することは自由であるとしても、その折り曲げ変形状態を保持することができないという問題を有していた。
【０００３】
そこで、加工性と形態保持を目的としてワイヤが芯材として使用され、リボン，テープの両側にワイヤ芯材を内装することが試みられて来た。（例えば特許文献１参照）
しかし、上記のようなワイヤ内装では、現在の環境保護等で問題となっているゴミの分別において、内装されたワイヤ（金属）を分別するのは困難であるのみならず、ワイヤが内装されているため、一般的に家庭用鋏として使用されている布用鋏では各人の好みの長さに切断することも困難で、ニッパー，ペンチ等、専用の鋏を必要とする難がある。
【０００４】
しかも、ワイヤは金属の特性として水に対して弱く、選択が困難であると共に、内装されている芯材がワイヤであることから変形自在に折り曲げることはできるにしても、一度、強く折り曲げてしまうと完全に元の直線状態に復元することは不可能であるなど、種々の問題を有していた。
【０００５】
そこで、本出願人はさきに上記ワイヤに代わり可撓性合成樹脂線条体に着目し、形状保持芯材として知られてきたポリオレフィン系線条体、例えばポリエチレンを主成分とする特殊な芯材に着目し、これを使用することにより、耐水性，可撓性，復元性があり、一度折り曲げても元の状態に容易に復元すると共に、鋏等で容易に切断可能で、生活ゴミとして廃棄でき、しかも変形自在に折り曲げ、一定の形態を保つことができる装飾リボン等を提案した。（例えば特許文献２参照）
ところが、被服の襟等において、従来、可撓性芯材を内装し、形態を保持することが広く行なわれて来たが、近時、襟にワイヤを入れたシャツやジャケットがヤング，ＯＬを主体として、胸元を前開きしながら襟を立ててシャープに着こなすスタイルとして広がって
おり、人気になっている。
【特許文献１】実公昭５９−２２１４７号公報
【特許文献２】実用新案登録第３０９７０４５号公報
【考案の開示】
【考案が解決しようとする課題】
【０００６】
本考案は上述の如き実状に対処し、特に上記近時の襟立てスタイルの人気に対応してワイヤに代わる可撓性樹脂線条体の芯材利用に着目し、該線条体を編テープに内在させることを見出すことにより従来の織物テープでは不可能な水平変化を可能として上記衣類の襟等の平坦な部分でカーブに沿って内装し希望の形態を保持させ、服飾業界への利用の拡大をはかることを目的とするものである。
【課題を解決するための手段】
【０００７】
即ち、上記目的に適合する本考案の特徴は、所要のテープ幅にわたり、長さ方向に並列して延びる複数の経編目列と、各経編目列より隣接する経編目列間、又は１〜複数コース離れた経編目列との間で横振りし、両経編目列を連結する連結糸によってテープ本体編地を形成し、かつ該テープ本体編地の各経編目列の間又は適宜間隔離れた経編目列との間毎に耐水性，復元性を有する可撓性ポリオレフィン系線条体を長さ方向に沿って挿入し、前記横振りする連結糸によって抑止してなる点にある。
【０００８】
ここで、前記テープ本体編地は、天然繊維，再生繊維素繊維又は合成繊維等、適宜既知の糸によって編成することが可能であり、挿入されるポリオレフィン系線条体としては特にポリエチレンを主成分とする線条体が好適である。
【０００９】
なお、上記本考案編テープは、通常、一般的にはラッセル機，コメット機，トリコット機又はミラニーズ機等の各経編機によって随時、編成されるが、しかし手編みによって行なうことも可能である。
【考案の効果】
【００１０】
上記本考案編テープは、編地を主体とするテープであり、伸縮性が保有されるのみならず、布用鋏で切断でき、他の素材に容易に縫い付けが可能であって、被服の襟等においても簡単に内装でき、殊に襟の縁部おいて芯材としてその形態を保持し得ると共に、特に内装されるポリオレフィン系線条体により不定方向に制約なく、かつ従来の織地では困難視されていた水平方向にも変形自在に折り曲げることができ、しかも該線条体は曲がった状態をそのまま保持することができる利点を有しており、衣類の襟など平坦な部分でカーブに沿って平面的に折曲が可能となって、近時の襟立てスタイルに使用し、頗る効用を発揮し、従来の装飾用テープの分野のみならず、広汎な服飾分野にその実用性を拡大することができる。
【考案を実施するための最良の形態】
【００１１】
以下、添付図面を参照し、更に本考案の具体的形態を説明する。
【００１２】
図１は本考案に係る細幅編テープＡの部分平面図を示し、図において１はテープ本体であり、図２にその詳細を示すように、所要のテープ幅において長さ方向に並列して延びる複数の経編目列２と、該各経編目列より隣接する経編目列又は適宜間隔離れた経編目列との間、図では隣接経編目列の間で横振りを繰り返して、両経編目列間を連結する表裏の連結糸３によって所要幅のテープ本体編地として形成されている。
【００１３】
しかして、本考案編テープＡは上記テープ本体１編地の各経編目列間あるいは適宜間隔離れた経編目列間毎に本考案の特徴をなす耐水性，復元性を有する可撓性ポリオレフィン系線条体４が随時、挿入され、前述したテープ本体編地の横振り表裏連結糸３によって抑止保持されている。
【００１４】
なお、挿入されるポリオレフィン系線条体４としては、例えばポリエチレンを主成分とする線条体が最も有効であり、その抑止は前記連結糸３のみに限らず、随時、経編目列を通し横方向に緯挿入糸を挿入することによって該緯挿入糸により可撓性ポリオレフィン系線条体４を抑止してもよい。
【００１５】
ここで、上記編テープを形成する経編目形成糸及び連結糸は天然繊維，レーヨン又はナイロン，アクリル，ポリエステル等の合成繊維糸が使用可能であり、上記繊維の1種又は2種以上の混合使用によって上記テープ本体１編地を編成し、必要に応じて糸又は編地を任意の色彩に着色することも可能である。
【００１６】
一方、ポリオレフィン系線条体４は、上述の如きポリエチレンを主成分とする線条体で、円形，矩形状，連糸状など、種々の断面形状が使用可能であり、可撓性を有して変形資材で、かつ変形した時、その形態を保持する形態保持性を有しており、しかも復元性もあり、一度きつく変形してもほぼ元の状態に容易に復元する。
【００１７】
この線条体４は通常、８０００〜１３０００デニールの太いモノフィラメントが用いられるが、１本に限らず適宜、細めのモノフィラメントを複数本引揃え使用することも可能であり、ポリオレフィン系であることから耐水性を有している。
【００１８】
なお、上記編テープはラッセル機，コメット機，トリコット機，ミラニーズ機等の経編機を使用して経編細幅テープとして編成することが可能であり、生産性を向上せしめることができる。上記の場合、経編目列としては通常、鎖編目列が形成される。しかし、上記機械編だけでなく、手編みによることも、効率上は不利であるが可能である。
【００１９】
図３は本考案に係る細幅編テープの使用例であり、衣服の襟部において縁部に内装して使用され、好みの前開きしながら襟を立たせたスタイルとしている。勿論、上記襟以外にも織物では不可能な水平な折り曲げ変化が可能で、その形態を保持させることが好まれる用途には極めて有効である。
【００２０】
また、本考案編テープは衣料用に限らず、装飾テープとして各種既知の用途に用いることもでき、特に従来、織物テープでは不可能であった水平な折り曲げ変化が求められる分野には頗る有用である。
【図面の簡単な説明】
【００２１】
【図１】本考案に係る編テープの部分概要平面図である。
【図２】同一部拡大図である。
【図３】本考案編テープの使用態様図である。
【符号の説明】
【００２２】
Ａ：編テープ
１：テープ本体
２：経編目列
３：連結糸
４：ポリオレフィン系線条体
【図１】
0003115166.tif 000003
【図２】
0003115166.tif 000004
【図３】
0003115166.tif 000005